【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
原稿を読み取って得られる読取画像を指定された送信先装置へ送信する画像処理装置であって、
給紙機構を有し、該給紙機構にセットされた原稿を順次読み取る読取手段と、
前記読取手段で読み取った読取画像を指定されたファイルに追加する形で記憶する記憶手段と、
前記読取手段の給紙機構にセットされた原稿を読み取った場合の読取原稿数を示す読取単位情報を生成する生成手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶及び前記生成手段による生成を実行する制御手段と、
前記指示手段による前記読取手段による読取終了が指示された場合、前記記憶手段に記憶されている前記指定されたファイル中の読取画像を、前記生成手段で生成された読取単位情報に基づいて分割する分割手段と、
前記分割手段で分割された読取画像それぞれを、指定されたファイルフォーマットのファイルに変換する変換手段と、
前記変換手段で変換された各ファイルを指定された送信先装置へ送信する送信手段と
を備えることを特徴とする画像処理装置。
【請求項２】
原稿を読み取って得られる読取画像を指定された送信先装置へ送信する画像処理装置であって、
給紙機構を有し、該給紙機構にセットされた原稿を順次読み取る読取手段と、
前記読取手段で読み取った読取画像を１ファイルとして記憶する記憶手段と、
前記読取手段の給紙機構にセットされた原稿の読取の完了後、前記読取手段による別の原稿の読取を実行するか、あるいは前記読取手段による読取を終了するかを指示する指示手段と、
前記指示手段によって前記読取手段による読取終了が指示されない限り、前記読取手段の給紙機構に原稿がセットされる毎に、前記読取手段による読取と、前記記憶手段による記憶を実行する制御手段と、
前記指示手段による前記読取手段による読取終了が指示された場合、前記記憶手段に記憶されている各ファイルを、指定されたファイルフォーマットのファイルに変換する変換手段と、
前記変換手段で変換された各ファイルを指定された送信先装置へ送信する送信手段と
を備えることを特徴とする画像処理装置。
【請求項３】
前記ファイルフォーマットを指定する第１指定手段と、
前記送信先装置を指定する第２指定手段と
を更に備えることを特徴とする請求項１又は２に記載の画像処理装置。
【請求項４】
前記送信手段は、複数種類のデータ送信部から構成される
ことを特徴とする請求項１又は２に記載の画像処理装置。
【請求項５】
操作画面を表示する操作手段を更に備え、
前記指示手段は、前記操作手段の操作画面上で生成される
ことを特徴とする請求項１又は２に記載の画像処理装置。
【請求項６】
原稿を読み取って得られる読取画像を指定された送信先装置へ送信する画像処理装置の制御方法であって、
給紙機構にセットされた原稿を順次読み取る読取工程と、
前記読取工程で読み取った読取画像を指定されたファイルに追加する形で記憶媒体に記憶する記憶工程と、
前記給紙機構にセットされた原稿を読み取った場合の読取原稿数を示す読取単位情報を生成する生成工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程と、
前記指示工程による前記読取工程による読取終了が指示された場合、前記記憶媒体に記憶されている前記指定されたファイル中の読取画像を、前記生成工程で生成された読取単位情報に基づいて分割する分割工程と、
前記分割工程で分割された読取画像それぞれを、指定されたファイルフォーマットのファイルに変換する変換工程と、
前記変換工程で変換された各ファイルを指定された送信先装置へ送信する送信工程と
を備えることを特徴とする画像処理装置の制御方法。
【請求項７】
原稿を読み取って得られる読取画像を指定された送信先装置へ送信する画像処理装置の制御方法であって、
給紙機構にセットされた原稿を順次読み取る読取工程と、
前記読取工程で読み取った読取画像を１ファイルとして記憶媒体に記憶する記憶工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶を実行する制御工程と、
前記指示工程による前記読取工程による読取終了が指示された場合、前記記憶媒体に記憶されている各ファイルを、指定されたファイルフォーマットのファイルに変換する変換工程と、
前記変換工程で変換された各ファイルを指定された送信先装置へ送信する送信工程と
を備えることを特徴とする画像処理装置の制御方法。
【請求項８】
原稿を読み取って得られる読取画像を指定された送信先装置へ送信する画像処理装置の制御をコンピュータに実行させるためのコンピュータプログラムであって、
給紙機構にセットされた原稿を順次読み取る読取工程と、
前記読取工程で読み取った読取画像を指定されたファイルに追加する形で記憶媒体に記憶する記憶工程と、
前記給紙機構にセットされた原稿を読み取った場合の読取原稿数を示す読取単位情報を生成する生成工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶及び前記生成工程による生成を実行する制御工程と、
前記指示工程による前記読取工程による読取終了が指示された場合、前記記憶媒体に記憶されている前記指定されたファイル中の読取画像を、前記生成工程で生成された読取単位情報に基づいて分割する分割工程と、
前記分割工程で分割された読取画像それぞれを、指定されたファイルフォーマットのファイルに変換する変換工程と、
前記変換工程で変換された各ファイルを指定された送信先装置へ送信する送信工程と
をコンピュータに実行させることを特徴とするコンピュータプログラム。
【請求項９】
原稿を読み取って得られる読取画像を指定された送信先装置へ送信する画像処理装置の制御をコンピュータに実行させるためのコンピュータプログラムであって、
給紙機構にセットされた原稿を順次読み取る読取工程と、
前記読取工程で読み取った読取画像を１ファイルとして記憶媒体に記憶する記憶工程と、
前記給紙機構にセットされた原稿の前記読取工程による読取の完了後、前記読取工程による別の原稿の読取を実行するか、あるいは前記読取工程による読取を終了するかを指示する指示工程と、
前記指示工程によって前記読取工程による読取終了が指示されない限り、前記給紙機構に原稿がセットされる毎に、前記読取工程による読取と、前記記憶工程による記憶を実行する制御工程と、
前記指示工程による前記読取工程による読取終了が指示された場合、前記記憶媒体に記憶されている各ファイルを、指定されたファイルフォーマットのファイルに変換する変換工程と、
前記変換工程で変換された各ファイルを指定された送信先装置へ送信する送信工程と
をコンピュータに実行させることを特徴とするコンピュータプログラム。